(57)【特許請求の範囲】
【請求項１】
遊技物導入部からその下方に位置する所定のフィールドに遊技物の払い出しを行う遊技物払い出し機構を備えたゲーム機であって、
上記遊技物払い出し機構は、上記遊技物導入部の直下位置において横方向の支軸を中心として基端が回動可能に支持された第１の部材と、この第１の部材の先端に対して上記支軸と平行な第１の連結軸を中心として基端が回動可能に連結された第２の部材と、を含んで構成されているとともに、
上記第１および第２の部材は、上記第１の連結軸が下方に位置するように折り畳まれる収納状態と、第１の部材の基端から第２の部材の先端までが一連となって傾斜状の遊技物搬送路を形成する伸長状態と、をとりうるように構成されていることを特徴とする、ゲーム機。
【請求項２】
上記遊技物払い出し機構は、上記第２の部材の先端に対して上記支軸と平行な第２の連結軸を中心として基端が回動可能に連結された第３の部材を含んで構成されており、
上記第３の部材は、上記収納状態においては、基端に対して先端が斜め下方に位置する傾斜状となる一方、上記伸長状態においては、ほぼ垂直状となって、上記第２の部材の先端から放出される遊技物を落下可能とされている、請求項１に記載のゲーム機。
【請求項３】
上記第３の部材は、底板と、左右の側壁と、正面壁とを有する矩形断面をしていて直線状に延びる筒状をしており、
上記左右の側壁には、対向壁に向かって下方傾斜状に延びる複数の邪魔板がこの第３の部材の基端から先端にかけて交互に設けられている、請求項２に記載のゲーム機。
【請求項４】
上記第３の部材の上記正面壁には、透明窓が設けられている、請求項３に記載のゲーム機。
【請求項５】
上記第１および第２の部材は、それぞれ、底板と、左右の側壁とを有して直線状に延びるチャンネル状をしており、
各底板の上面は、長手方向に凹部と凸部が交互に連続する凹凸面とされている、請求項１ないし４のいずれかに記載のゲーム機。
【請求項６】
上記支軸と直交する水平方向に平行移動可能なスライドガイドをさらに備えているとともに、このスライドガイドには、上下方向に延びるとともに、上端付近で溝幅が広がる案内溝が形成されている一方、
上記第１の連結軸もしくはその付近に取り付けた第１のローラと、上記第２の部材に取付けた第２のローラとが上記案内溝に係合させられており、
上記収納状態にある上記第１の部材を上記支軸を中心として回動させると、上記第１のローラが上記スライドガイドを移動させつつ上記案内溝内を上動し、上記第１のローラが上記案内溝の上端にいたった状態において、上記第２のローラが上記案内溝の幅広部に係止されて上記第１および第２の部材が上記伸長状態に保持される、請求項１ないし５のいずれかに記載のゲーム機。
【請求項７】
上記第１の連結軸周りに回動可能であり、かつ一定姿勢をとるリンクプレートと、一端が上記リンクプレートに回動可能に連結され、上記第３の部材における上記第２の連結軸の近傍に他端が回動可能に連結されたリンクロッドとをさらに備え、このリンクロッドの両端の連結部と、上記第１の連結軸と、上記第２の連結軸とが変形可能な四辺形の頂点をなす機構を構成することにより、上記第３の部材の上記収納状態における姿勢ないし上記伸長状態における姿勢を規定する、請求項２ないし４のいずれかに記載のゲーム機。
【請求項８】
上記第１の部材の中間部において一端が回動可能に連結されたロッドと、このロッドの他端部を回動可能に連結し、かつ、駆動軸を中心として回転可能な駆動部材とを有する駆動機構を備え、上記駆動軸を回転させることにより上記第１の部材を上記支軸を中心として回動させる、請求項１ないし７のいずれかに記載のゲーム機。
【発明の詳細な説明】
【技術分野】
【０００１】
本発明は、ゲームセンタなどに設置されるいわゆるアーケード型のゲーム機に関する。
【背景技術】
【０００２】
従来のアーケード型のゲーム機としては、たとえば遊技物としてのメダルを所定のフィールド内に投入させてゲームを行わせるものがある（たとえば、特許文献１を参照）。特許文献１に開示されたゲーム機は、プッシャを有するフィールドにプレイヤがメダルを投入するための機構や電子ゲームを表示するための画像表示装置を備え、さらに、中央部には電子ゲームの結果に応じてボールを用いた抽選ゲームを行う抽選装置、および、当該抽選装置における抽選結果に応じて上記フィールドに所定のメダルの払い出しを行うメダル払い出し機構を備えている。より具体的には、上記メダル払い出し機構としては、フィードの上方に設けられたメダル受皿（遊技物導入部）と、基端が横方向の支軸を中心として回動可能に支持されたウイング状部材とを有している。このウイング状部材は、通常時には、先端が基端側の支軸よりも上方に位置する一方、メダル払い出し時には、先端が支軸よりも下がって上記フィールド近傍に位置することによりメダル搬送路を形成する。この際、フィールドの上方に設けられたメダル受皿にメダルが供給されると、当該供給されたメダルは、ウイング状部材を介してフィールド内に払い出される。
【０００３】
しかしながら、このようにメダル払い出し機構として回動可能なウイング状部材を備える構成では、メダル払い出し時にはウイング状部材の回動による占有空間が比較的に大きい。また、通常時においても、ウイング状部材の先端が上方に位置するものの、ウイング状部材の占有空間を大きく確保しなければならない。このことによって、中央部の抽選装置の設計について大きな制約が生じてしまう。加えて、ウイング状部材が支軸によって回動可能に支持される構成では、当該支軸において比較的に大きなモーメント荷重が掛かり、強度面においも不利である。
【０００４】
【特許文献１】特開２００２−２１０２２４号公報
【発明の開示】
【発明が解決しようとする課題】
【０００５】
本発明は、このような事情のもとで考え出されたものであって、上方に設けられた遊技物導入部から所定のフィールドに遊技物を払い出すための遊技物払い出し機構を備えたゲーム機において、通常時には遊技物払い出し機構をコンパクトに収納し、空間の自由度を大きく確保することができるゲーム機を提供することをその課題としている。
【課題を解決するための手段】
【０００６】
上記の課題を解決するため、本発明では、次の技術的手段を採用した。
【０００７】
本発明によって提供されるゲーム機は、遊技物導入部からその下方に位置する所定のフィールドに遊技物の払い出しを行う遊技物払い出し機構を備えたゲーム機であって、上記遊技物払い出し機構は、上記遊技物導入部の直下位置において横方向の支軸を中心として基端が回動可能に支持された第１の部材と、この第１の部材の先端に対して上記支軸と平行な第１の連結軸を中心として基端が回動可能に連結された第２の部材と、を含んで構成されているとともに、上記第１および第２の部材は、上記第１の連結軸が下方に位置するように折り畳まれる収納状態と、第１の部材の基端から第２の部材の先端までが一連となって傾斜状の遊技物搬送路を形成する伸長状態と、をとりうるように構成されていることを特徴としている。
【０００８】
本発明に係るゲーム機において、遊技物払い出し機構は、基端が横方向の支軸を中心として回動する第１の部材と、この第１の部材の先端に対して上記支軸と平行な第１の連結軸を中心として基端が回動可能に連結された第２の部材とを有している。そして、これら第１および第２の部材は、遊技物払い出し時には一連となる伸長状態とされて比較的に長尺な傾斜状の遊技物搬送路を形成する一方、通常時には折り畳まれて収納状態とされる。したがって、このような構成の遊技物払い出し機構によれば、遊技物払い出し時には十分な長さの遊技物搬送路を形成する一方、通常時にはコンパクトに収納しておくことができ、ゲーム機の空間の自由度を高めることができる。
【０００９】
好ましい実施の形態においては、上記遊技物払い出し機構は、上記第２の部材の先端に対して上記支軸と平行な第２の連結軸を中心として基端が回動可能に連結された第３の部材を含んで構成されており、上記第３の部材は、上記収納状態においては、基端に対して先端が斜め下方に位置する傾斜状となる一方、上記伸長状態においては、ほぼ垂直状となって、上記第２の部材の先端から放出される遊技物を落下可能とされている。
【００１０】
このような第３の部材を備える構成によれば、遊技物導入部が高い位置に設けられる場合においても、遊技物払い出し時には、伸長状態にある傾斜状の第１および第２の部材、ならびに垂直状の第３の部材を介して上記フィールドに遊技物をスムーズに払い出すことができる。
【００１１】
好ましい実施の形態においては、上記第１および第２の部材は、それぞれ、底板と、左右の側壁とを有して直線状に延びるチャンネル状をしており、各底板の上面は、長手方向に凹部と凸部が交互に連続する凹凸面とされている。
【００１２】
このような第１および第２の部材がチャンネル状とされた構成によれば、左右の側壁に挟まれた底板の上面部分が遊技物搬送路として規定される。そして、遊技物搬送路となる底板の上面が凹凸面とされていることにより、当該底板の上面上を遊技物が通過する際には、当該遊技物は、凹凸面が抵抗となって跳ねながら移動する。このため、遊技物の移動速度は、適度に減速される。また、遊技物が凹凸面上を跳ねながら移動する構成は、遊技物が平面上を単に滑って通過する構成に比べて、遊技物払い出し時における演出を良好にすることができ、ゲーム機の興趣を高めることができる。
【００１３】
好ましい実施の形態においては、上記第３の部材は、底板と、左右の側壁と、正面壁とを有する矩形断面をしていて直線状に延びる筒状をしており、上記左右の側壁には、対向壁に向かって下方傾斜状に延びる複数の邪魔板がこの第３の部材の基端から先端にかけて交互に設けられている。
【００１４】
このような構成によれば、第３の部材の内部を遊技物が落下する際に、当該遊技物は、下方傾斜状に延びる複数の邪魔板に順次衝突することになり、当該衝突の度に遊技物の落下速度が減殺される。したがって、遊技物導入部が高い位置に設けられる場合でも、遊技物導入部から放出され、第１ないし第３の部材を介して上記フィールドに落下する遊技物について、上記フィールドへ到達する際の速度を適度に減速することができる。これにより、上記フィールドへ落下する遊技物による衝撃を緩和することができ、上記フィールドの破損を防止することができる。
【００１５】
好ましい実施の形態においては、上記第３の部材の上記正面壁には、透明窓が設けられている。
【００１６】
このような構成によれば、遊技物払い出し機構を介して遊技物の払い出しを受けるプレイヤは、透明窓を介して、複数の邪魔板に順次衝突しながら左右に振られて落下する遊技物を見ることができる。したがって、かかる構成によれば、遊技物払い出し時における演出を良好にすることができ、このことは、ゲーム機の興趣を高めるうえで好適である。
【００１７】
好ましい実施の形態においては、上記支軸と直交する水平方向に平行移動可能なスライドガイドをさらに備えているとともに、このスライドガイドには、上下方向に延びるとともに、上端付近で溝幅が広がる案内溝が形成されている一方、上記第１の連結軸もしくはその付近に取り付けた第１のローラと、上記第２の部材に取付けた第２のローラとが上記案内溝に係合させられており、上記収納状態にある上記第１の部材を上記支軸を中心として回動させると、上記第１のローラが上記スライドガイドを移動させつつ上記案内溝内を上動し、上記第１のローラが上記案内溝の上端にいたった状態において、上記第２のローラが上記案内溝の幅広部に係止されて上記第１および第２の部材が上記伸長状態に保持される。
【００１８】
このようなスライドガイドを備える構成によれば、第１の部材の回動動作にともなう第２の部材の動作を適切に規定することができる。また、第１および第２の部材が伸長状態にあるときには、第１および第２の部材の荷重は、主に第１および第２のローラを介してスライドガイドに支持されることになる。したがって、上記支軸において過大なモーメント荷重がかかるのを回避することができ、強度面において有利である。
【００１９】
好ましい実施の形態においては、上記第１の連結軸周りに回動可能であり、かつ一定姿勢をとるリンクプレートと、一端が上記リンクプレートに回動可能に連結され、上記第３の部材における上記第２の連結軸の近傍に他端が回動可能に連結されたリンクロッドとをさらに備え、このリンクロッドの両端の連結部と、上記第１の連結軸と、上記第２の連結軸とが変形可能な四辺形の頂点をなす機構を構成することにより、上記第３の部材の上記収納状態における姿勢ないし上記伸長状態における姿勢を規定する。
【００２０】
このような構成によれば、第３の部材の収納状態における傾斜状の姿勢ないし伸長状態における垂直状の姿勢は、上記四辺形の頂点をなす機構によって適切に規定される。
【００２１】
好ましい実施の形態においては、上記第１の部材の中間部において一端が回動可能に連結されたロッドと、このロッドの他端部を回動可能に連結し、かつ、駆動軸を中心として回転可能な駆動部材とを有する駆動機構を備え、上記駆動軸を回転させることにより上記第１の部材を上記支軸を中心として回動させる。
【００２２】
このような構成によれば、第１の部材は、駆動機構によって適切に回動させられる。
【００２３】
本発明のその他の特徴および利点は、添付図面を参照して以下に行う詳細な説明によって、より明らかとなろう。
【発明を実施するための最良の形態】
【００２４】
以下、本発明に係るゲーム機の好ましい実施形態につき、図面を参照しつつ具体的に説明する。
【００２５】
図１〜図１７は、本発明に係るゲーム機の一実施形態を示している。図１によく表われているように、本実施形態のゲーム機Ａは、下部筐体１０上に筒状のショーケース１１が載設され、かつこのショーケース１１上に上部カバー１２が設けられた構成を有しており、ショーケース１１によって囲まれた空間部には、後述するメダルゲームフィールドＭＦやセンターユニットＣＵが設けられている。下部筐体１０の外周面部には、複数の操作パネル部１３が等間隔で設けられており、それらの操作パネル部１３と同数の複数人（たとえば６人）が同時にゲームを行なうことができるようになっている。各操作パネル部１３には、後述する抽選ゲーム等に使用される操作ボタン１３Ａのほか、詳細な図示説明は省略するが、遊技物としてのメダルを溜めておくためのメダル留置部、メダル投入口などが設けられている。操作パネル部１３の奥方には、メダルゲームフィールドＭＦから落とされたメダルを払い出すメダル払出口１３Ｂも設けられている。また、各操作パネル部１３の左右両側の下部筐体１０内部には、メダル投入装置１４が設けられている。メダル投入装置１４は、ショーケースの外側でプレイヤにより投入されたメダルを所望の方向に向けて転がしつつ、ショーケース１１内のメダルゲームフィールドＭＦへと導くように構成されている。メダルゲームフィールドＭＦは、複数の操作パネル部１３の個々に対応してたとえば計６箇所設けられている。隣接するメダルゲームフィールドＭＦとの間には、後述する電子ゲームにおいて所定の結果が得られたことによって行われるミニ抽選ユニットＭＵが設けられている。
【００２６】
ゲーム機Ａには、図２に電気的な構成を示すように、後述する画像表示装置２やプッシャゲーム機構３、さらにはセンターユニットＣＵなどの各部の動作を制御するマイクロコンピュータ９が搭載されている。
【００２７】
図３によく表れているように、メダルゲームフィールドＭＦには、液晶ディスプレイなどを用いた電子ゲーム実行用の画像表示装置２と、プッシャゲーム機構３とが設置されている。
【００２８】
画像表示装置２とプッシャゲーム機構３との間には、複数のチャッカ２１が横方向に並んで設けられている。チャッカ２１の手前側には、アクリル樹脂などからなる透明の助走板２２が設けられている。図４に表れているように、助走板２２は、通常時には奥方（チャッカ２１側）に向かうほど低位となる傾斜姿勢をとる一方、所定の場合には手前側に位置する横方向の回動軸２２１周りに回動させられて起立姿勢をとるように構成されている。チャッカ２１と助走板２２との間にはメダルｍが落下しうる隙間が設けられている。メダル投入装置１４には、図示しないメダル送出機構を介して、メダルｍを立てたまま初速を与えて助走板２２上に転がすためのガイド部材１４１が設けられており、このガイド部材１４１は、操作パネル部１３に設けられたダイヤル１３Ｃによって横方向に揺動可能とされている。これにより、プレイヤは、たとえば特定のチャッカ２１に狙いを定めるようにするなどして、ガイド部材１４１の先端から初速を与えられたメダルｍを送出する方向を自由に選択することができる。
【００２９】
各チャッカ２１は、たとえば内部に設けられたセンサＳａによりメダルｍの通過が検出されるように構成されている。助走板２２上を転がってきたメダルｍがチャッカ２１に入ると、マイクロコンピュータ９は、画像表示装置２で展開される電子ゲームやチャッカ２１を利用した所定のゲームを実行する。センターユニットＣＵやミニ抽選ユニットＭＵにおける抽選ゲームは、所定のゲームの結果に応じて実行されるように構成されている。図４に表れているように、チャッカ２１に入ったメダルｍおよびチャッカ２１に入らなかったメダルｍのいずれもプッシャゲーム機構３上に落下する。なお、チャッカ２１については、たとえば図３の矢印Ｎａ方向に常時または間欠的に往復動を行なう構成とすることもできる。
【００３０】
プッシャゲーム機構３は、固定プレート３０上に可動プレート３１が重ねられ、かつこの可動プレート３１がモータ（図示略）の駆動によって一定のストロークで往復動を行なうように構成されたものである。可動プレート３１が手前側に前進したときに、固定プレート３０上に載っている複数枚のメダルｍどうしが固定プレート３０の手前に向けてうまく押し合うと、この固定プレート３０の先端縁３０ａからその手前下方にメダルｍが落下するようになっている。可動プレート３１の往復動は、常時繰り返して実行されるように構成されているが、これに代えて、たとえば画像表示装置２において実行されるゲーム結果に対応させて可動プレート３１を間欠的に動作させるようにしてもかまわない。固定プレート３０から落下したメダルｍは、メダル払出口１３Ｂを通じて操作パネル部１３上のメダル留置部に払い出されるようになっている。プッシャゲーム機構３の側方には、画像表示装置２において実行される電子ゲームやミニ抽選ユニットＭＵにおける抽選ゲームで所定の当たりとなった場合に可動プレート３１上にメダルｍを払い出すためのメダル払出口３２が設けられている。なお、固定プレート３０の両側方には、メダル回収口３０１が設けられており、このメダル回収口３０１に入ったメダルｍは、所定のメダル貯留部（図示略）に回収される。
【００３１】
センターユニットＣＵは、図５または図１２に表れているように、たとえばボールｂを用いて抽選ゲームを行う抽選装置４と、メダル払い出し機構５とを具備して構成されている。図５または図１０に表れているように、抽選装置４は、転動用部材４０と、この転動用部材４０の下方に位置する抽選部４１と、転動用部材４０上にボールｂを投入するボール投入機構４２と、抽選ゲームが終了したボールｂを回収する回収機構４３とを備えている。本実施形態においては、抽選装置４によって実行される抽選ゲームは、たとえば最大数千枚ものメダルが払い出される大当たり（以下、ＳＪＰ（スーパージャックポット）という）を獲得するための抽選である。
【００３２】
図６および図７に表れているように、転動用部材４０は、外周縁に上向きに起立した起立壁４０ｃを有する平面視円形の皿状とされている。この皿状部分の上面がボールを転動させるための転動面４０ａとなっており、その中央部には、１つの排出口４０ｂが設けられている。転動面４０ａは、図５および図６に表れているように、垂直方向のいずれの断面においても中央に向かうほど低位となるなだらかな形状とされている。この転動面４０ａに対しては、後述する中央筐体６０の投入口６３を介してボールｂが投入されうる。投入口６３の先端は、ボールｂを転動面４０ａの周方向に放出することができるように方向付けられている。排出口４０ｂは、転動面４０ａを転動したボールｂを落下させて低位の抽選部４１に導くためのものであり、ボールｂが通過しうる貫通孔とされている。投入口６３を通じて転動面４０ａ上にボールｂが投入されると、当該ボールｂは、転動面４０ａ上において螺旋を描きながら転動し、やがて中央に到って排出口４０ｂから落下する。
【００３３】
転動用部材４０はブラケット４４０上に固定されており、このブラケット４４０は、水平軸４４０ａを中心として中央筐体６０に回動可能に支持されている。本実施形態においては、中央筐体６０は、富士山をモチーフとした部分円錐状の側面パネル６１と、側面パネル６１に連結された正面パネル６２とを備え、これらのパネル６１，６２に包囲された所定の内部空間を有する構成とされている。上記水平軸４４０ａは、排出口４０ｂの下端に位置し、かつ延び方向が平面視において排出口４０ｂのほぼ中心を通るように設定されており、中央筐体６０の正面パネル６２に対して直角な方向に沿って延びている。ブラケット４４０の端部には、連結ロッド４４１の一端が枢動可能に連結されており、連結ロッド４４１の他端は、中央筐体６０（正面パネル６２）に支持されたモータＭ１によって回転させられる回転板４４２の偏心位置に対して枢動可能に連結されている。このような構成により、モータＭ１が駆動すると、ブラケット４４０の端部は上下に往復動させられ、ブラケット４４０に固定された転動用部材４０は水平軸４４０ａを中心として揺動する。
【００３４】
図５に表れているように、抽選部４１は、振り分け部材４１０と、転動用部材４１１，４１２と、入賞テーブル４１３とを備えており、この抽選部４１において、後述する第１および第２の抽選が行われる。振り分け部材４１０は、中央部でつながる左側および右側の通路４１０ａ，４１０ｂを有している。これら通路４１０ａ，４１０ｂは、ボールｂが通過可能な同一平面状とされており、図８に表れているように、平面視において、くの字状に折れ曲がっている。振り分け部材４１０は、ブラケット４５０上に固定されており、このブラケット４５０は、水平軸４５０ａを中心として回動可能に支持されている。水平軸４５０ａは上記水平軸４４０ａの真下に位置しており、振り分け部材４１０の中央部は排出口４０ｂの真下に位置している。ブラケット４５０の端部には、連結ロッド４５１の一端が枢動可能に連結されており、連結ロッド４５１の他端は、中央筐体６０（正面パネル６２）に支持されたモータＭ２によって回転させられる回転板４５２の偏心位置に対して枢動可能に支持されている。これにより、モータＭ２が駆動すると、ブラケット４５０の端部は上下に往復動させられ、振り分け部材４１０は、水平軸４５０ａを中心として揺動する。この際、排出口４０ｂからボールｂが落下すると、当該ボールｂは、重力の作用によって通路４１０ａ，４１０ｂのうち先端が下方に傾斜している方に進む。すなわち、排出口４０ｂから落下したボールｂは、その落下するタイミングに応じてほぼ１／２の確率で通路４１０ａ，４１０ｂのいずれかに振り分けられ、転動用部材４１１，４１２のいずれかに放出される。
【００３５】
図８に表れているように、通路４１０ａ，４１０ｂの先端には、それぞれ、通路４１０ａ，４１０ｂを通過したボールｂを検出するセンサＳｂが設けられている。本実施形態においては、ボールｂが通路４１０ａ，４１０ｂのいずれかを通過することによって第１の抽選が行われる。第１の抽選は、ＳＪＰの当選確率を通常確率または高確率のいずれかに振り分ける抽選とされている。たとえば、ボールｂが、通路４１０ａを通過して転動用部材４１１上に放出された場合には高確率となり、通路４１０ｂを通過して転動用部材４１２上に放出された場合には通常確率となる。
【００３６】
転動用部材４１１，４１２は、いずれも上記した転動用部材４０と同様の構成とされており、それぞれ、転動面４１１ａ，４１２ａおよび排出口４１１ｂ，４１２ｂを有している。ただし、転動用部材４１１，４１２は、中央筐体６０に固定されており、この点において揺動可能とされた転動用部材４０とは異なる。振り分け部材４１０の通路４１０ａ，４１０ｂの先端は、それぞれ、通路４１０ａ，４１０ｂを通過してきたボールｂを転動面４１１ａ，４１２ａの周方向に放出することができるように方向付けられている。転動面４１１ａ（転動面４１２ａ）上に放出されたボールｂは、螺旋を描きながら転動し、やがて中央に至って排出口４１１ｂ（排出口４１２ｂ）から落下する。そして、当該落下したボールｂは、中央筐体６０の手前側に形成された通路６４ａ（通路６４ｂ）を経て後述する入賞テーブル４１３の上部プレート４１３Ａ上に放出される。
【００３７】
入賞テーブル４１３は、所定の円周上に沿って一定間隔で配列された複数の入賞孔４１３ｂ（本実施形態では２４個）を有している。複数の入賞孔４１３ｂは、ボールｂが通過しうる大きさであり、円環状の上部プレート４１３Ａに形成されている。上部プレート４１３Ａは、平面状ではなく波打つように適宜傾斜させられており、各入賞孔４１３ｂがその周辺部よりも低位に位置している。図９に表れているように、上部プレート４１３Ａの下方には、上部プレート４１３Ａと重なりつつもスライド用のアクチュエータ（図示略）によって円周方向にスライドされるスライドプレート４１３Ｃが設けられている。スライドプレート４１３Ｃには、入賞孔４１３ｂと同一の大きさで同一間隔となるように複数の孔４１３ｄが形成されている。また、上部プレート４１３Ａとスライドプレート４１３Ｃとの間には、入賞孔４１３ｂに入ったボールｂを検知するセンサＳｃが各入賞孔４１３ｂと対応するように設けられている。上部プレート４１３Ａ上にボールｂが放出される際、スライドプレート４１３Ｃは、各孔４１３ｄが上部プレート４１３Ａの入賞孔４１３ｂとずれた位置関係にある。そのため、ボールｂは、スライドプレート４１３Ｃの上面に支持され、一つの入賞孔４１３ｂに半分ほど入った状態で一旦保持される。ボールｂが入賞孔４１３ｂに入って保持された状態になると、当該入賞孔４１３ｂに対応するセンサＳｃからマイクロコンピュータ９にボールｂを検知した旨の信号が出力される。その後、スライドプレート４１３Ｃは、各孔４１３ｄが上部プレート４１３Ａの各入賞孔４１３ｂと重なるように上記アクチュエータによって円周方向にスライドさせられ、これにより、ボールｂが孔４１３ｄから落下する。スライドプレート４１３Ｃの下方には、各孔４１３ｄから落下したボールｂを受け止めて回収機構４３に送るための複数のレール４１３Ｅと、これらレール４１３Ｅを支持する下部プレート４１３Ｆが設けられている。孔４１３ｄから落下したボールｂは、レール４１３Ｅを経由して回収機構４３に送られる。
【００３８】
図５および図９に表れているように、入賞テーブル４１３の外周部には、各入賞孔４１３ｂにボールｂが入った場合のメダルｍの払い出し枚数を表示する表示部４１３Ｇが、各入賞孔４１３ｂと個々に対応するように設けられている。これらの表示部４１３Ｇは、本実施形態ではたとえばＬＥＤドットマトリクスによって構成されており、マイクロコンピュータ９によって制御されるようになっている。マイクロコンピュータ９は、第１の抽選の結果に応じて各表示部４１３Ｇに表示させるメダルｍの払い出し枚数を変動させることができる。たとえば、ＳＪＰの当選確率が通常確率の状態では、２４個の入賞孔４１３ｂのうち２個の入賞孔４１３ｂに対応する表示部４１３Ｇには「ＳＪＰ」の表示がなされ、他の２２個の入賞孔４１３ｂに対応する表示部４１３Ｇには「１００」や「２００」といったＳＪＰ以外の払い出し枚数が表示される。これに対し、ＳＪＰの当選確率が高確率の状態では、４個の入賞孔４１３ｂに対応する表示部４１３Ｇに「ＳＪＰ」の表示がなされる。第１の抽選が開始される時点では、表示部４１３Ｇの表示は通常確率状態とされている。第１の抽選においてボールｂが振り分け部材４１０の通路４１０ａを通過した場合には、センサＳｂでの検出信号に基づいて表示部４１３Ｇの表示を高確率状態に変動させる。そして、本実施形態では、入賞テーブル４１３の入賞孔４１３ｂのいずれか一つに入ることをもって第２の抽選が終了する。
【００３９】
上記構成の入賞テーブル４１３は、下部筐体１０に対して垂直軸周りに回転可能に支持されており、抽選ゲーム時にはマイクロコンピュータ９が図示しないモータを制御することによって適宜回転させられる。また、中央筐体６０も下部筐体１０に対して上記垂直軸周りに回転可能に支持されている。ただし、中央筐体６０は、入賞テーブル４１３とは別個独立して回転可能とされており、抽選ゲーム時にはマイクロコンピュータ９が図示しないモータを制御することによって、抽選ゲームの権利を得たプレイヤの正面に抽選部４１が向くように適宜回転させられる。
【００４０】
図１０に表れているように、回収機構４３は、中央筐体６０に支持されたガイドレール４３０を含んで構成されている。ガイドレール４３０は、その一端部が入賞テーブル４１３のレール４１３Ｅに臨むように開口するとともに、一端部から他端部に向けて下がる傾斜面４３０ａを有しており、当該他端部に隣接して設けられたボール投入機構４２にボールｂを導くものである。また、中央筐体６０には、レール４１３Ｅに載ったボールｂがガイドレール４３０に載ることなく落下するのを防止するための仕切板６５が設けられている（図９参照）。ボールｂの載ったレール４１３Ｅがガイドレール４３０に対向する位置に到達すると、当該ボールｂはガイドレール４３０に乗り移り、ボール投入機構４２の方へと移動する。
【００４１】
ボール投入機構４２は、中央筐体６０の内部に設けられている。このボール投入機構４２は、図１０に表れているように、上下のプーリ４２１，４２２に掛け回されたベルト４２３と、ベルト４２３に固定されたボール載置用の昇降部材４２４と、下方のプーリ４２２を駆動するモータＭ３とを具備している。昇降部材４２４は、１つのボールｂを受容可能とされており、モータＭ３の駆動により一定範囲内で上下に往復動するように構成されている。上記ガイドレール４３０の他端部には、ストッパ４２５が設けられている。このストッパ４２５は、傾斜面４３０ａより上方に進出する上動位置と上記傾斜面４３０ａより下方に退避する下動位置との間で上下動可能とされるとともに、バネ４２６によって上方に弾力付勢されており、通常時にはバネ４２６の付勢力によって上動位置にある。このとき、ガイドレール４３０上のボールｂはストッパ４２５によって昇降部材４２４側への移動が阻止されており、また、昇降部材４２４はボールｂを載せていない状態で最下位よりも少し上方の通常待機位置に停止している。また、ストッパ４２５には、昇降部材４２４が最下位に向けて下降するときに当該昇降部材４２４と当接しうる突出部４２５ａが設けられている。この突出部４２５ａは、傾斜面４３０ａよりも下方においてガイドレール４３０の端部よりも昇降部材４２４側へ突出している。
【００４２】
抽選ゲームを開始するとき、マイクロコンピュータ９がモータＭ３を制御することでベルト４２３が作動させられ、昇降部材４２４は、最下位へと下降移動させられる（図１０における下側の仮想線）。このとき、昇降部材４２４の左端部がストッパ４２５の突出部４２５ａに引っ掛かることにより、ストッパ４２５は押し下げられて下動位置に移動する。そうすると、傾斜面４３０ａ上のボールｂは重力の作用によって転がりながら昇降部材４２４の方へと移動する。そして、昇降部材４２４にボールｂが載ると、当該ボールｂが載ったことは図示しないセンサによって検出され、昇降部材４２４は最上位の僅か下方の投入待機位置へと上昇移動させられる（図１０における上側の仮想線）。このとき、ボールｂは、正面パネル６２の上部に設けられた投入口６３に臨んでおり、プレイヤはボールｂを見ることができる。ただし、昇降部材４２４は、下部に設けられたコイルバネ４２４Ａの付勢力により若干傾斜した姿勢を保持しており、ボールｂが投入口６３にこぼれ落ちることはない。
【００４３】
昇降部材４２４は、たとえば操作ボタン１３Ａを用いて行われるプレイヤの入力操作があると、速やかに最上位に移動させられる。このとき、図１１に表れているように、昇降部材４２４は、その左端部が投入口６３付近に固定された係止片４２７に引っ掛かることにより、昇降部材４２４の投入口６３側が下方に向くように傾斜する。そして、昇降部材４２４に載せられていたボールｂは、投入口６３を通過して転動用部材４０の転動面４０ａ上に投入される。
【００４４】
メダル払い出し機構５は、抽選ゲームの終了後に該当するプレイヤのメダルゲームフィールドＭＦにメダルｍを払い出すためのものであり、中央筐体６０の内部に設けられている。メダル払い出し機構５は、図１２および図１３に表れているように、第１ないし第３の部材５０，５１，５２と、スライドガイド５３と、駆動機構５４と、四辺形リンク機構５５とを有している。
【００４５】
より具体的には、第１の部材５０は、底板５０１と、左右の側壁５０２とを有し、基端から先端にかけて直線状に延びるチャンネル状とされている。図１６によく表れているように、底板５０１の上面５０１ａは、長手方向において凹部と凸部が交互に連続する階段状の凹凸面とされている。また、第１の部材５０は、左右の側壁５０２の基端が中央筐体６０の上部に設けられた横方向の支軸Ｏ１を中心として回動可能に支持されている。中央筐体６０の上端には、メダル払い出し機構５にメダルｍを導入するためのボウル６７が設けられており、第１の部材５０は、ボウル６７の直下位置において支持されている。
【００４６】
第２の部材５１は、底板５１１と、左右の側壁５１２とを有し、基端から先端にかけて直線状に延びるチャンネル状とされている。図１６によく表れているように、底板５１１の上面５１１ａは、長手方向において凹部と凸部が交互に連続する階段状の凹凸面とされている。左右の側壁５１２の内側寸法は、第１の部材５０の左右の側壁５０２の外側寸法よりも大とされており、左右の側壁５１２の基端は、第１の部材５０の左右の側壁５０２の先端に対して上記支軸Ｏ１と平行な連結軸Ｏ２を中心として回動可能に連結されている。
【００４７】
第３の部材５２は、底板５２１と、左右の側壁５２２と、正面壁５２３とを有する矩形断面をしており、基端から先端にかけて直線状に延びている。正面壁５２３は、周縁部を除く広い範囲が開口しており、この開口部分はアクリル樹脂などからなる透明窓５２４によって塞がれている。図１６および図１７によく表れているように、左右の側壁５２２ないし底板５２１には、対向壁に向かって下方傾斜状に延びる複数の邪魔板５２５が、基端から先端にかけて交互に設けられている。なお、底板５２１は、基端寄りの領域には設けられておらず、左右の側壁５２２の内側寸法は、第２の部材５１の左右の側壁５１２の外側寸法よりも大とされている。そして、左右の側壁５２２の基端は、第２の部材５１の左右の側壁５１２の先端に対して、上記支軸Ｏ１と平行な連結軸Ｏ３を中心として回動可能に連結されている。
【００４８】
駆動機構５４は、第１の部材５０を、支軸Ｏ１を中心として回動させるためのものであり、駆動シャフト５４１と、ロッド５４２とを有して構成されている。駆動シャフト５４１は、その一端が、中央筐体６０に回転可能に支持された駆動軸Ｏ４に対して連結固定されており、駆動軸Ｏ４は、たとえば中央筐体６０に支持された図示しないモータの出力軸に対して減速用のギア等を介して連係されている。これにより、上記モータが駆動すると、駆動シャフト５４１は、駆動軸Ｏ４を中心として回転する。ロッド５４２は、直線棒状とされており、その一端が第１の部材５０の底板５０１の中間部に設けられた連結軸Ｏ５を中心として回動可能に連結されるとともに、他端が駆動シャフト５４１の他端に回動可能に連結されている。本実施形態においては、駆動機構５４は、駆動シャフト５４１を駆動節とし、ロッド５４２および第１の部材５０を従動節とするクランク・レバー機構となっている。このような構成により、駆動軸Ｏ４が回転させられると、第１の部材５０は、上記支軸Ｏ１を中心として一定範囲で回動させられる。
【００４９】
スライドガイド５３は、第１の部材５０の回動にともなう第２の部材５１および四辺形リンク機構５５の動作を規定するためのものである。このスライドガイド５３は、上下方向に延びる左右一対のガイド部５３１を備えるとともに、これらガイド部５３１の下端どうしがつながった門型形状とされており、中央筐体６０に設けられたレール６６に対して摺接する複数のローラ５３２よって、上記支軸Ｏ１と直交する水平方向にスライド移動可能とされている。一対のガイド部５３１は、それぞれ垂直方向に対してやや傾斜する姿勢とされており、これらガイド部５３１には、それぞれ、対向する内側が開口させられた一対ずつの案内溝５３１ａ，５３１ｂが形成されている。
【００５０】
案内溝５３１ａは、回転自在に設けられた一対ずつのローラ５１３，５１４が係合させられるものであり、ガイド部５３１が延びる上下方向に沿ってローラ５１３，５１４の径よりも僅かに大きい一定の溝幅とされた一定幅領域と、ガイド部５３１の上端付近において当該上端に向かうにつれて溝幅が広がる広幅領域とを有している。ローラ５１３は、連結軸Ｏ２に取り付けられており、ローラ５１４は、第２の部材５１の側壁５１２に取り付けられている。ローラ５１３，５１４のいずれもが案内溝５３１ａの一定幅領域に位置するときには、ローラ５１３，５１４の相対的な位置関係は変化しない。この場合、図１４に表れているように、第２の部材５１は一定の姿勢を維持する。一方、図１５に表れているように、ローラ５１４が案内溝５３１ａの広幅領域に位置するときには、ローラ５１３，５１４の相対的な位置関係が変化しうる。この場合、第２の部材５１の姿勢は、ローラ５１３，５１４の相対位置に対応して変化する。案内溝５３１ｂは、後述する四辺形リンク機構５５のリンクプレート５５１を一定姿勢に維持しつつ上下方向に案内するためのものである。
【００５１】
四辺形リンク機構５５は、第２の部材５１の回動にともなう第３の部材５２の動作を規定するためのものであり、リンクプレート５５１と、リンクロッド５５２とを有して構成されている。リンクプレート５５１は、その一端が連結軸Ｏ２を中心として第２の部材５１の側壁５１２に回動可能に連結される。リンクプレート５５１の中間部には、上記スライドガイド５３の案内溝５３１ｂに係合させられる係合突部５５１ａが設けられている。リンクロッド５５２は、その一端が上記リンクプレート５５１の他端に対して回動可能に連結されている。この連結部５５２ｂは、上記連結軸Ｏ２の近傍に位置している。リンクロッド５５２の他端は、第３の部材５２の側壁５２２に対し、連結軸Ｏ３よりも基端寄りの端部において回動可能に連結されている。この連結部５５２ｃは、上記連結軸Ｏ３の近傍に位置している。このような構成により、四辺形リンク機構５５は、リンクロッド５５２の両端の連結部５５２ｂ，５５２ｃと、連結軸Ｏ２と、連結軸Ｏ３とが変形可能な四辺形の頂点をなしている。リンクプレート５５１が案内溝５３１ｂによって一定姿勢を維持することにより、第２の部材５１が連結軸Ｏ２を中心として回動すると、リンクロッド５５２および第３の部材５２は従動する。このとき、第３の部材５２は、第２の部材５１に対して、連結軸Ｏ３を中心として回動する。
【００５２】
上記構成のメダル払い出し機構５は、図１２に表れているように、通常時には、第１ないし第３の部材５０，５１，５２が上記垂直軸を挟んで正面パネル６２とは反対側の側面パネル６１の内側に折り畳まれて収納された状態（収納状態）にある。具体的には、この収納状態において、第１の部材５０と第２の部材５１とは、連結軸Ｏ２が下方に位置するように折り畳まれている。第２の部材５１と第３の部材５２とは、連結軸Ｏ３が上方に位置するように折り畳まれている。また、このとき、第３の部材５２は、基端に対して先端が斜め下方に位置する傾斜状となっており、この第３の部材５２の傾斜角度は、側面パネル６１がなす部分円錐状の傾斜面の傾斜角度と同程度とされている。
【００５３】
一方、メダル払い出し機構５は、所定のメダル払い出し時には、図１６および図１７に表れているように、第１ないし第３の部材５０，５１，５２が伸長させられてメダルゲームフィールドＭＦ上まで通じるメダル搬送路を形成する。具体的には、まず、抽選装置４による抽選ゲームが終了すると、中央筐体６０が上記垂直軸周りに１８０度回転し、抽選ゲームを終えたプレイヤの正面にメダル払い出し機構５が向く位置で停止する。次いで、マイクロコンピュータ９が駆動機構５４の駆動軸Ｏ４に連係する上記モータを制御することにより、駆動軸Ｏ４が回転させられ、これにともない第１の部材５０は、上記支軸Ｏ１を中心として、先端の連結軸Ｏ２がプレイヤの方に向けて進出しながら上動するように回動する。
【００５４】
この際、連結軸Ｏ２に取り付けられたローラ５１３、およびローラ５１４は、スライドガイド５３の案内溝５３１ａの一定幅領域において、スライドガイド５３を進出させるようにスライド移動させながら上動する（図１４参照）。上方に位置するローラ５１４が上記一定幅領域にあるときには、第２および第３の部材５１，５２は、一定の姿勢を保っている。
【００５５】
次いで、図１５に示すように、ローラ５１４が案内溝５３１ａの広幅領域に進入すると、ローラ５１４は、第２の部材５１の自重により、溝幅が広がる傾斜面に沿うように案内溝５３１ａの上端に向けて移動する。一方、ローラ５１３は、案内溝５３１ａの一定幅領域の平面に沿って移動する。そうすると、第２の部材５１は、連結軸Ｏ２を中心として先端側が下がるように回動する。また、第３の部材５２は、上述したように、第２の部材５１の回動にともなう四辺形リンク機構５５の動作によって、回動する。
【００５６】
次いで、図１６に示すように、ローラ５１４が案内溝５３１ａの幅広領域の上端に到達すると、第１および第２の部材５０，５１は、長手方向において一直線状となるように伸長した状態（伸長状態）となる。この伸長状態において、第３の部材５２は、ほぼ垂直状となっている。そして、第１の部材５０の基端から第２の部材５１の先端までが一連となった傾斜状のメダル搬送路と、第３の部材５２の基端から先端までの垂直状のメダル搬送路とが形成される。
【００５７】
そして、メダル払い出し時には、図示しないメダル貯留部から所定枚数のメダルｍが中央筐体６０の上端に設けられたボウル６７に供給される。当該供給されたメダルｍは、ボウル６７内を通過して下部開口からガイド部６８を介して第１の部材５０の基端側の底板５０１上に落下する。当該落下したメダルｍは、傾斜状のメダル搬送路を通過して第２の部材５１の先端から放出され、第３の部材５２内の垂直状のメダル搬送路を経て、メダルゲームフィールドＭＦのプッシャゲーム機構３上に払い出される。
【００５８】
本実施形態のゲーム機Ａにおいては、メダル払い出し機構５は、支軸Ｏ１および連結軸Ｏ２を中心としてそれぞれ回動可能に連結された第１および第２の部材５０，５１が、メダル払い出し時には一連となる伸長状態とされて比較的に長尺な傾斜状のメダル搬送路を形成する一方、通常時には折り畳まれて収納状態とされる。したがって、このような構成のメダル払い出し機構５によれば、メダル払い出し時には十分な長さのメダル搬送路を形成する一方、通常時にはコンパクトに収納しておくことができ、ゲーム機Ａの空間の自由度を高めることができる。その結果、センターユニットＣＵを構成する抽選装置４や中央筐体６０等のデザインを邪魔しないように設計することが可能となる。
【００５９】
加えて、メダル払い出し機構５は、第２の部材５１の先端に対して支軸Ｏ１と平行な連結軸Ｏ３を中心として回動可能に連結された筒状の第３の部材５２を備えており、この第３の部材５２は、伸長状態においては垂直状のメダル搬送路を形成する。このような第３の部材５２を備える構成によれば、ボウル６７が高い位置に設けられていても、メダル払い出し時には、伸長状態にある第１および第２の部材５０，５１、ならびに垂直状の第３の部材５２を介してメダルゲームフィールドＭＦにメダルｍをスムーズに払い出すことができる。
【００６０】
第１および第２の部材５０，５１は、直線状に延びるチャンネル状とされているため、これら第１および第２の部材５０，５１においては、それぞれ、左右の側壁５０２，５１２に挟まれた底板５０１，５１１の上面５０１ａ，５１１ａがメダル搬送路として規定される。そして、底板５０１，５１１の上面５０１ａ，５１１ａ上をメダルｍが通過する際には、当該メダルｍは、凹凸面が抵抗となって跳ねながら移動する。このため、メダルｍの移動速度は、適度に減速される。また、メダルｍが凹凸面上を跳ねながら移動する構成は、メダルｍが平面上を単に滑って通過する構成に比べて、メダル払い出し時における演出を良好にすることができ、ゲーム機Ａの興趣を高めることができる。
【００６１】
第３の部材５２の内部には下方傾斜状に延びる複数の邪魔板５２５が設けられているため、第３の部材５２の内部をメダルが落下する際に、当該メダルｍは、複数の邪魔板５２５に順次衝突することになり、当該衝突の度にメダルｍの落下速度が減殺される。したがって、ボウル６７が高い位置に設けられていても、ボウル６７から放出され、第１ないし第３の部材５０，５１，５２を介してメダルゲームフィールドＭＦに落下するメダルｍについて、メダルゲームフィールドＭＦへ到達する際の速度を適度に減速することができる。これにより、メダルゲームフィールドＭＦへ落下するメダルｍによる衝撃を緩和することができ、メダルゲームフィールドＭＦの破損を防止することができる。
【００６２】
また、第３の部材５２の正面壁５２３には透明窓５２４が設けられているため、メダルｍの払い出しを受けるプレイヤは、透明窓５２４を介して、複数の邪魔板５２５に順次衝突しながら左右に振られて落下するメダルｍを見ることができる。したがって、かかる構成によれば、メダル払い出し時における演出を良好にすることができ、このことは、ゲーム機Ａの興趣を高めるうえで好適である。
【００６３】
本実施形態のメダル払い出し機構５においては、スライドガイド５３を備えていることにより、上述したように、第１の部材５０の回動動作にともなう第２の部材５１の動作は、適切に規定することができる。また、第１および第２の部材５０，５１が伸長状態にあるときには、第１ないし第３の部材５０，５１，５２の荷重は、主にローラ５１３，５１４を介して進出移動させられたスライドガイド５３に支持されることになる。したがって、上記支軸Ｏ１において過大なモーメント荷重がかかるのを回避することができ、強度面において有利となる。また、このようなスライドガイド５３を備える構成によれば、第１ないし第３の部材５０，５１，５２の荷重を受ける部分が分散されるので、各動作部の損耗を抑制することができる。
【００６４】
以上、本発明の実施形態を説明したが、本発明の技術的範囲は上記した実施形態に限定されるものではない。本発明に係るゲーム機の各部の具体的な構成は、発明の思想から逸脱しない範囲内で種々な変更が可能である。
【００６５】
上記実施形態においては、遊技物としてメダルｍを用いたゲーム機Ａについて説明したが、本発明に係るゲーム機はこれに限定されるものではなく、たとえば、ぬいぐるみや菓子などの景品を獲得するゲーム機にも適用することができる。
【００６６】
上記実施形態では、メダル（遊技物）払い出し時には、ボウル（遊技物導入部）を通過したメダルが下部開口を通じてメダル払い出し機構５に放出される構成とされているが、これに限定されるものではない。本発明でいう遊技物導入部としては、遊技物を一旦貯留し、当該貯留された遊技物を一斉に遊技物払い出し機構に放出するように構成することもできる。たとえば、遊技物導入部を、内部に遊技物を貯留することができ、かつ回動可能に軸支されたバケットとしておき、当該バケットを回動させることによって遊技物を遊技物払い出し機構に放出するように構成してもよい。また、これに代えて、底部を開閉制御可能なバケットとしておき、底部を開状態とすることによって内部に貯留された遊技物を遊技物払い出し機構に放出するように構成してもよい。
【図面の簡単な説明】
【００６７】
【図１】本発明に係るゲーム機の一実施形態の全体外観図である。
【図２】図１に示すゲーム機の電気的構成を示すブロック図である。
【図３】図１に示すゲーム機のゲームフィールドの構成例を示す概略正面図である。
【図４】図３に示される構成の部分縦断面図である。
【図５】図１に示すゲーム機の要部正面図である。
【図６】転動用部材の取り付け状態を説明するための要部側面図である。
【図７】転動用部材の取り付け状態を説明するための要部平面図である。
【図８】図５のＶＩＩＩ−ＶＩＩＩ線に沿う部分断面図である。
【図９】図１に示すゲーム機の要部縦断面図である。
【図１０】図１に示すゲーム機の要部縦断面図である。
【図１１】ボール投入機構の作動を説明するための要部縦断面図である。
【図１２】メダル払い出し機構の一例を示す概略側面図である。
【図１３】メダル払い出し機構の一例を示す概略正面図である。
【図１４】メダル払い出し機構の作動を説明するための概略側面図である。
【図１５】メダル払い出し機構の作動を説明するための概略側面図である。
【図１６】メダル払い出し機構の作動を説明するための概略側面図である。
【図１７】メダル払い出し機構の作動を説明するための概略正面図である。
【符号の説明】
【００６８】
Ａ        ゲーム機
ｂ        ボール
ｍ        メダル（遊技物）
ＣＵ      センターユニット
ＭＦ      メダルゲームフィールド（フィールド）
Ｏ１      支軸
Ｏ２      連結軸（第１の連結軸）
Ｏ３      連結軸（第２の連結軸）
Ｏ４      駆動軸
５        メダル払い出し機構（遊技物払い出し機構）
５０      第１の部材
５１      第２の部材
５２      第３の部材
５３      スライドガイド
５４      駆動機構
５５      四辺形リンク機構
６７      ボウル（遊技物導入部）
５０１    底板（第１の部材の）
５０１ａ  （底板の）上面
５０２    側壁（第１の部材の）
５１１    底板（第２の部材の）
５１１ａ  （底板の）上面
５１２    側壁（第２の部材の）
５１３    ローラ（第２のローラ）
５１４    ローラ（第１のローラ）
５２１    底板（第３の部材の）
５２２    側壁（第３の部材の）
５２３    正面壁
５２４    透明窓
５２５    邪魔板
５３１ａ  案内溝
５４１    駆動シャフト（駆動部材）
５４２    ロッド
５５１    リンクプレート
５５２    リンクロッド
５５２ｂ  連結部（リンクロッドの）
５５２ｃ  連結部（リンクロッドの）
【図１】
0004902507.tif 000002
【図２】
0004902507.tif 000003
【図３】
0004902507.tif 000004
【図４】
0004902507.tif 000005
【図５】
0004902507.tif 000006
【図６】
0004902507.tif 000007
【図７】
0004902507.tif 000008
【図８】
0004902507.tif 000009
【図９】
0004902507.tif 000010
【図１０】
0004902507.tif 000011
【図１１】
0004902507.tif 000012
【図１２】
0004902507.tif 000013
【図１３】
0004902507.tif 000014
【図１４】
0004902507.tif 000015
【図１５】
0004902507.tif 000016
【図１６】
0004902507.tif 000017
【図１７】
0004902507.tif 000018